(57)【特許請求の範囲】
【請求項１】
切削部１の上部には、先端が尖った切削先端部１０と、水平な線形態の切削コーナー２０とが、交互に放射状に配置されて形成され、前記先端が尖った切削先端部１０の一面は、切削部１の回転中心軸Ｃに向かって下向きに傾斜した三角形状の陥没面１１から形成され、前記水平な線形態を有する切削コーナー２０は、切削部１の外周面に沿って下向きに傾斜した三角形状の傾斜面２１の一辺として形成され、前記交互の切削先端部１０と切削コーナー２０との間には、削除される骨４０の残渣が引き込まれて堆積される骨保管溝３１が形成され、前記切削先端部１０と切削コーナー２０との外周側面に下方に傾斜して形成された側面傾斜コーナー３０の傾斜角度は、切削部１の回転方向に沿って次第に小さく形成されたことを特徴とするインプラント施術用拡孔器。
【発明の詳細な説明】
【技術分野】
【０００１】
本発明は、インプラント植立のために骨に孔を形成するための拡孔器に関し、より詳しくは、安定した孔加工のための位置選定が容易であるだけでなく、骨削除効率が増加し、高速回転が可能であり、高速回転中にも、摩擦抵抗が減少されることにより、インプラント植立のための作業性が増大されるインプラント施術用拡孔器に関する。
【背景技術】
【０００２】
図１は、従来のインプラント施術用拡孔器の斜視図であり、図２は、従来のインプラント施術用拡孔器の正面図である。従来のインプラント施術用拡孔器の構成は、図１、図２からみると、段部１２２が形成されるように、切削部１の上端前面のうち、外周を含む一面を上向きに隆起して形成される突出面１２１と、前記突出面１２１の形成により、突出面１２１とは反対に切削部１の上端前面のうち、一面が陥没されて形成される陥没面１１１と、前記段部１２２と突出面１２１との連結部位に形成される切削コーナー１２０と、前記陥没面１１１と突出面１２１の側面との間に形成される排出路１４０と、を備えて構成されるインプラント施術用切断挙上拡孔器において、前記陥没面１１１は、段部１２２の前側に行くほど上向きとなる傾斜面から形成されるとともに、上端に行くほど狭幅となり、上部端には切削先端部１１０が形成されることを特徴とする。
【０００３】
また、前記排出路１４０と陥没面１１１の外周との境界部位には、最初傾斜コーナー１３１が形成され、排出路１４０と突出面１２１の外周との境界部位には、最後傾斜コーナー１３２が形成されるように、前記陥没面１１１と突出面１２１の外周に沿ってテーパー１３０を形成するが、前記テーパー１３０は、最初傾斜コーナー１３１から始めて最後傾斜コーナー１３２側に回転するほど、軸となす角度θは小さくなり、テーパー１３０の幅は広くなるように形成されることを特徴とするインプラント施術用拡孔器である。
【０００４】
上述した従来のインプラント拡孔器は、本出願人により、大韓民国特許庁に出願され、特許第１０‐０７９２６４９号として登録されている。
【０００５】
しかしながら、従来のインプラント拡孔器は、５つの必然的な短所があった。第一、従来の拡孔器は、図１に示すように、先端が尖った切削先端部１１０が回転中心軸Ｃを基準として偏心されているので、切削部１が回転するとき、回転中心軸Ｃを中心とする真円回転が行われ難いという問題点があった。
【０００６】
すなわち、切削部１に回転力が加えられると、先端が尖った切削先端部１１０を軸として回転しようとする力が発生するとともに、基準とした切削部１の回転中心軸Ｃに対して回転干渉が発生するので、真円回転が困難となる。したがって、図１に示した従来のインプラント拡孔器を用いて作業するときは、低速回転を行わなければならず、切削部１の真円回転を担保するために、回転中心を拡孔器の使用前に必ずしも先ず形成しなければならないという作業上の不便があった。
【０００７】
第二、従来の拡孔器は、各一つの切削先端部１１０、切削コーナー１２０、最初傾斜コーナー１３１を有しているので、切削効率が極めて低い。第三、削除効率が低く、拡孔器と骨の接触面積が多いため、拡孔器の高速回転時、摩擦熱の発生可能性が高く、摩擦熱による骨壊死の危険があるため、高速回転による手術を行えず、低速回転をしなければならなかった。
【０００８】
第四、拡孔器の回転時、拡孔器と骨との間の摩擦熱を冷却させる生理食塩水が、作業部である切削部に到達するような通路が小さく、冷却生理食塩水の到達が困難であった。第五、拡孔器の回転により発生した骨片の係留空間が小さく、回転による排出が困難であるので、効果的な切削部の削除効率を維持するために作業を止め、骨片をしばしば除去しなければならなかった。
【０００９】
一方、本発明の出願人兼発明者である「アン・サンフン」は、インプラント拡孔器分野の技術上の問題点と性能を改善するために相当な努力を傾けたが、その結果、大韓民国特許第１０‐０６３０３０４号の「インプラント施術用拡孔器」及び大韓民国特許第１０‐０７９２６４９号の「上顎洞インプラント施術用切断挙上拡孔器」を開発し、産業開発に寄与している。
【発明の概要】
【発明が解決しようとする課題】
【００１０】
したがって、本発明は、上述した問題点を改善することはもとより、本発明の出願人兼発明者である「アン・サンフン」の大韓民国特許第１０‐０７９２６４９号の「上顎洞インプラント施術用切断挙上拡孔器」の技術構成を一部利用乃至改良した後、新たな構成を加え、以前よりもさらに進歩した作用効果が得られるインプラント施術用拡孔器を提供しようとする。
【００１１】
すなわち、インプラント植立のために骨に孔を形成するために、第一、先端が尖った切削先端部１０を対称して形成し、真円回転中心を安定的に機能させ、２つの対称の切削先端部１０が真円に回転しながら、２倍速く骨に円形の削除が行われるようにする。第二、円形削除の内面を削除するために、平面の切削コーナー２０を傾斜して形成し、骨と線接触させるようにし、接触面積が減るとともに、円形内面の削除効率を顕著を増加させる。第三、構造を改善することにより、既存の１つのみ形成可能であった最初傾斜コーナー１３１を４つ形成することができるので、４倍も速い側面削除が可能となる。
【００１２】
したがって、本発明は、真円回転中心の確保が可能であり、拡孔器と骨の接触面積を減少させ、切削効率を画期的に増加させ、高速回転が可能であるので、削除力と作業性が顕著に増大するものである。
【００１３】
また、孔加工中、破砕される自家骨は、骨の下方に排出させず、孔の骨板が開いた瞬間、上顎洞に自然に移るように、前記切削先端部１０と切削コーナー２０との間に骨保管溝３１を形成し、自家骨が拡孔器の回転中に堆積されながら圧力を受けるように構成したインプラント施術用拡孔器を提供することを目的とする。
【課題を解決するための手段】
【００１４】
本発明によるインプラント施術用拡孔器の具体的な手段は、切削部１の上部には、先端が尖った切削先端部１０と、水平な線形態の切削コーナー２０とが、交互に放射状に形成され、前記切削先端部１０の後方は、切削部１の中心に向かって下向き傾斜した陥没面１１から形成され、前記切削コーナー２０の後方は、切削部１の外周面に向かって下向き傾斜した傾斜面２１から形成され、前記交互の切削先端部１０と切削コーナー２０との間には、削除される骨４０の残渣が引き込まれて堆積される骨保管溝３１が形成され、前記切削先端部１０と切削コーナー２０との外周側面に形成された側面傾斜コーナー３０の傾斜角度は、回転方向に沿って次第に小さく形成される。
【発明の効果】
【００１５】
本発明によれば、切削部１の回転中心軸Ｃを基準として先端が尖った２つの切削先端部１０と、骨４０と線接触となる水平な線形態の２つの切削コーナー２０とが交互に放射状に形成されているので、前記切削部１の回転中心軸Ｃを基準として対称形成された切削先端部１０により高速の真円回転が可能であることにより、削除力と作業速度が向上する効果があるだけでなく、骨４０との密着時も、対称した尖った切削先端部１０により切削位置の選定が安定に維持されるという効果がある。
【００１６】
また、切削部１の上部が骨４０に密着した状態で回転されるとき、後方に下向き傾斜した傾斜面２１を有する水平な線形態の切削コーナー２０により、骨４０との線接触が行われることにより、骨４０との摩擦抵抗が低下し、それほど本発明の削除力が増大し、作業速度が向上する。
【００１７】
また、切削先端部１０と切削コーナー２０との間に形成された骨保管溝３１により、削除される骨４０の残渣が自然に骨保管溝３１に引き込まれて堆積されることにより、骨４０の残渣が切削部１の回転に対して摩擦抵抗を高めるなどの妨害を与えないようになるだけでなく、骨４０が穿孔された瞬間、骨保管溝３１に堆積された自家骨４３が、上顎洞５０の内部に引き込まれるとともに、一次的に拡孔器の構造により開いた骨板を、二次的に押し上げる役割をすることにより、上顎洞膜５１の損傷を防ぐだけでなく、インプラント心材６０の固定に必要な埋立物として活用することができる。
【図面の簡単な説明】
【００１８】
【図１】従来のインプラント施術用拡孔器の斜視図である。
【図２】従来のインプラント施術用拡孔器の正面図である。
【図３】本発明によるインプラント施術用拡孔器の斜視図である。
【図４】本発明によるインプラント施術用拡孔器の使用状態図である。
【図５】上顎洞及びインプラント施術を説明するための例示図である。
【発明を実施するための形態】
【００１９】
以下、本発明の目的を達成可能な好適な実施例の技術構成及び効果について、添付した図面に基づき、本発明の技術的構成が、本発明の出願人兼発明者である「アン・サンフン」が既に大韓民国において特許獲得した「上顎洞インプラント施術用切断挙上拡孔器（大韓民国特許第１０‐０７９２６４９号）」の技術構成を、一部利用乃至改良した後、新たな構成を加え、以前よりもさらに進歩した作用効果が得られるようにしたものであることを考慮して、図１、図２に示した従来のインプラント施術用拡孔器（大韓民国特許第１０‐０７９２６４９号）と比較しながら説明する。
【００２０】
図１、２は、大韓民国特許第１０‐０７９２６４９号に該当するインプラント施術用拡孔器の従来の斜視図及び正面図であって、図１、２に示すように、従来のインプラント拡孔器は、段部１２２が形成されるように、切削部１の上端前面のうち、外周を含む一面を上向きに隆起して形成される突出面１２１と、前記突出面１２１の形成により、突出面１２１と反対に切削部１の上端前面のうち、一面が陥没されて形成される陥没面１１１と、前記段部１２２と突出面１２１との連結部位に形成される切削コーナー１２０と、前記陥没面１１１と突出面１２１の側面との間に形成される排出路１４０と、を備えて構成されるインプラント施術用切断挙上拡孔器において、前記陥没面１１１は、段部１２２の前側に行くほど上向きとなる傾斜面から形成されるとともに、上部端に行くほど幅が狭くなり、上部端には切削先端部１１０が形成されることを特徴とする。
【００２１】
しかしながら、従来のインプラント拡孔器は、図１に示すように、先端が尖った切削先端部１１０が、回転中心軸Ｃを基準として偏心された常態で形成されている。問題は、連結部２を介して回転力が切削部１に加えられると、切削部１の回転力は、回転中心軸Ｃを基準として真円回転しようとし、切削部１の真円回転と同時に、偏心された尖った切削先端部１０を中心として偏心回転しようとする回転力が存在しながら、真円回転と偏心回転が互いに干渉を引き起こし、安定した位置での回転が困難であり、また使用者は、拡孔器の削除効率が低いので、拡孔器を高速回転させず、拡孔器と身体骨の回転摩擦熱が生じないように低速回転させながら、孔加工の安定性を担保しなければならない状況である。このように切削先端部１１０の偏心から始まった切削部１の低速回転は、削除力を低下させるだけでなく、作業時間が長くなり、孔加工の安定性の担保も足りないという問題点があった。
【００２２】
図３は、本発明によるインプラント施術用拡孔器の斜視図であり、図３の円内拡大図に示すように、本発明は、前記従来のインプラント拡孔器の問題点の一つである切削先端部１１０の偏心により引き起こされる問題点を解決するために、本発明では、インプラント植立のために骨４０に孔を形成する過程において、真円回転が安定した位置において高速回転可能に、先端が尖った切削先端部１０を対称して形成する。
【００２３】
すなわち、先端が尖った切削先端部１０と切削コーナー２０を放射状に交互に形成するが、２つの切削先端部１０を互いに対称して形成することにより、回転中心軸Ｃを中心として真円に回転する切削部１の回転と、回転中心軸Ｃから放射状に同一の距離だけ離隔した２つの切削先端部１０の回転とが、同一の軌跡を形成することにより、回転に対する干渉が発生しないように構成したものである。
【００２４】
したがって、本発明では、切削部１に伝達される回転力が切削先端部１０により干渉されないことにより、使用者は、本発明を用いて高速回転を通じて安定した孔加工を行うようになるものである。また、対称した２つの切削先端部１０により、骨４０との密着が安定に密着される効果がある。
【００２５】
図３の円内拡大図から示すように、切削先端部１０は尖った形態であり、孔加工のために、骨４０と密着するとき、切削先端部１０と骨４０は点接触されるようにし、初期削除力が向上するように構成することが好ましい。骨４０との点接触のために、切削先端部１０の後方は、図３の円内拡大図において矢印に示すように、中心に向かって下向き傾斜した陥没面１１で構成する。
【００２６】
一方、図１、２に示した大韓民国特許第１０‐０７９２６４９号に該当するインプラント施術用拡孔器では、切削部１の上端前面のうち、外周を含む一面として、段部１２２が形成されるように上向きに隆起した平らな突出面１２１が形成され、前記段部１２２と突出面１２１との連結部位には切削コーナー１２０が形成される。前記切削コーナー１２０の機能は、骨４０に孔を形成する過程において、上述した切削先端部１１０が孔の外縁を円形に切削し、次いで、切削コーナー１２０が内部の骨４０を切削するものであって、二重切削が可能となるものである。
【００２７】
しかしながら、従来のインプラント拡孔器において、切削コーナー１２０は、図１に示すように、段部１２２と突出面１２１を連結する地点に形成されたものであり、骨４０に孔を加工する過程において、平らな突出面１２１が骨４０と面接触するようになる。このような面接触構成は、切削コーナー１２０が削除力を発揮するとき、突出面１２１に対する骨４０との面接触により、摩擦抵抗が向上する要素であって、切削部１の高速回転による切削コーナー１２０の削除力が低下する構成である。
【００２８】
したがって、本発明では、切削部１に伝達される高速回転が、従来の平らな突出面１２１で発生する摩擦抵抗により低下するという問題点を解決するために、図３の円内拡大図に示すように、切削先端部１０と交互に放射状に形成される２つの切削コーナー２０を対称して形成する。前記切削コーナー２０は、切削部１の中心において陥没面１１と出会う部分において、段部２２が形成され、切削コーナー２０の後方は、図３の円内拡大図において矢印に示すように、切削部１の外周面に向かって下向きに傾斜した傾斜面２１に形成することにより、結局として、切削コーナー２０は水平な線形態となり、骨４０と対面するとき、線接触が行われるようになる。
【００２９】
したがって、本発明では、切削コーナー２０と骨４０の接触が面接触ではなく、線接触となるので、従来の面接触による摩擦抵抗が根本的に排除され、切削部１に伝達される高速回転力が孔加工にそのまま用いられることにより、切削コーナー２０の削除力が向上するだけでなく、作業時間が短縮するという効果がある。また、図３の円内拡大図に示すように、水平な線形態の切削コーナー２０は、切削先端部１０と交互に放射状に２つ形成されることにより、従来の１つの切削コーナー１２０に比べて削除力が２倍向上するものである。
【００３０】
一方、図１、２に示すように、大韓民国特許第１０‐０７９２６４９号に該当するインプラント施術用拡孔器では、陥没面１１１と突出面１２１の側面との間に排出路１４０を形成することにより、切削された骨４０の残渣を円滑に排出させ、骨４０の残渣により、摩擦抵抗が向上し、切削部１の回転力が低下しないようにした。
【００３１】
また、図１、２に示すように、テーパー１３０が、陥没面１１１の外周の最初傾斜コーナー１３１から突出面１２１の外周の最後傾斜コーナー１３２に行くほど、回転中心軸Ｃとなす角度が小さくなるように形成されるので、切削時、回転中心軸Ｃとなす角度θ'が最大である最初傾斜コーナー１３１では、骨４０との接触時に発生する摩擦抵抗が最大となり、最後傾斜コーナー１３２側に行くほど、回転中心軸Ｃとなす角度θ"が次第に小さくなることにより、骨４０との接触時に発生する摩擦抵抗が最小となることにより、拡孔器の上向きへの前進速度が速くなり、骨４０に最初に形成する孔の作業から所望の直径までの孔作業の速度が迅速に行われる。
【００３２】
しかしながら、本発明では、図１、２に示した従来のインプラント拡孔器とは異なり、別途の排出路１４０を構成しない。従来は、切削された骨４０の残渣を円滑に排出させることにより、骨４０の残渣により、摩擦抵抗が向上して、切削部１の回転力が低下するという問題点を予め防止し、排出路１４０を形成したものである。
【００３３】
本発明では、図３の円内拡大図に示すように、切削部１の上部に切削先端部１０と切削コーナー２０が交互に放射状に形成される間に、骨保管溝３１を形成する。前記骨保管溝３１は、切削される骨４０の残渣、すなわち、自家骨４３が切削部１の回転中、自然に引き込まれて堆積されるようにしたものであり、図４に示すように、切削部１が骨４０を穿孔して上顎洞５０の内部に上顎洞膜５１を持ち上げるとき、骨保管溝３１に堆積された自家骨４３が、上顎洞５０の内部に引き込まれる効果が発生する。
【００３４】
一方、従来のインプラント拡孔器の側面に形成された最初傾斜コーナー１３１と最後傾斜コーナー１３２の傾斜角度θ'、θ"を、最初傾斜コーナー１３１から最後傾斜コーナー１３２に回転するほど小さく形成したように、本発明の拡孔器でも、図３の円内拡大図のように、切削先端部１０と切削コーナー２０との外周側面に形成された側面傾斜コーナー３０の傾斜角度を、回転方向に沿って次第に小さくなるように構成することにより、拡孔器の上向き前進速度が速くなるようにした。一方、本発明による側面傾斜コーナー３０は、孔の外周面を切削するものであって、図３の円内拡大図に示すように、２つの切削先端部１０の側面と２つの切削コーナー２０など、計４箇所の側面に傾斜して形成されることにより、孔の外周面の削除力がさらに向上し、安定した真円の確保と維持に優れた効果がある。
【００３５】
図４は、本発明によるインプラント施術用拡孔器の使用状態図であり、図５は、上顎洞及びインプラント施術を説明するための例示図である。図５は、放射線で撮影した顔の側面を簡略に示したものであって、インプラントの心材６０が植立されるための骨４０と、骨４０の上部に位置した上顎洞５０とが示されており、上顎洞５０は、粘膜形態の上顎洞膜５１で保護されている。
【００３６】
本発明では、切削先端部１０と切削コーナー２０を通じて、骨４０を迅速に削除し、切削部１の上部が上顎洞膜５１と接触される前、図４のように、硬い緻密骨４１を円形の骨片４２に切削し、骨片４２を介して、切削部１の上部が上顎洞膜５１に接触しなかった状態で、上顎洞膜５１を上顎洞５０の内部に持ち上げることにより、上顎洞膜５１が損傷しない方式で、インプラント心材６０が、図５の（ｂ）のように、上顎洞５０の内部に植立されるようにする。骨４０が穿孔され、上顎洞膜５１が挙上された後は、インプラント心材６０が固定されるように、自家骨４３と移植骨４４を上顎洞５０の内部に充填することにより、インプラント心材６０が堅固に固定されるようにするものである。
【００３７】
上述したように、本発明によるインプラント施術用拡孔器は、切削部１の回転中心軸Ｃを基準として先端が尖った２つの切削先端部１０と、骨４０と線接触となる水平な線形態の２つの切削コーナー２０とが、交互に放射状に形成されたものであるので、前記切削部１の回転中心軸Ｃを基準として対称形成された切削先端部１０により、真円回転が安定し、削除効率が高くなり、高速回転が可能であることにより、削除力と作業速度が向上する効果があるだけでなく、骨４０との密着時も、対称した尖った切削先端部１０により、切削位置の選定が安定に維持されるという効果がある。
【００３８】
また、切削部１の上部が骨４０に密着した状態で回転するとき、後方に下向き傾斜した傾斜面２１を有する水平な線形態の切削コーナー２０により、骨４０との線接触が行われることにより、骨４０との摩擦抵抗が低下し、それほど本発明の削除力が増大され、作業速度が向上する。
【００３９】
また、切削先端部１０と切削コーナー２０との間に形成された骨保管溝３１により、削除される骨４０の残渣が、自然に骨保管溝３１に引き込まれて堆積されることにより、骨４０の残渣が、切削部１の回転に対して摩擦抵抗を高めるなどの妨害を与えないだけでなく、骨４０が穿孔された瞬間、骨保管溝３１に堆積された自家骨４３が上顎洞５０の内部に引き込まれるとともに、一次的に拡孔器の構造により開いた骨板を、二次的に押し上げる役割をすることにより、上顎洞膜５１の損傷の防止に寄与するだけでなく、インプラント心材６０の固定に必要な埋立物として活用することができるようになる。
【符号の説明】
【００４０】
１    切削部
２    連結部
１０    切削先端部
１１    陥没面
２０    切削コーナー
２１    傾斜面
２２    段部
３０    側面傾斜コーナー
３１    骨保管溝
４０    骨
４１    緻密骨
４２    骨片
４３    自家骨
４４    移植骨
５０    上顎洞
５１    上顎洞膜
６０    心材
１１０    切削先端部
１１１    陥没面
１２０    切削コーナー
１２１    突出面
１２２    段部
１３０    テーパー
１３１    最初傾斜コーナー
１３２    最後傾斜コーナー
１４０    排出路
Ｃ    回転中心軸
【図１（ａ）】
0005896435.tif 000002
【図１（ｂ）】
0005896435.tif 000003
【図２】
0005896435.tif 000004
【図３】
0005896435.tif 000005
【図４】
0005896435.tif 000006
【図５（ａ）】
0005896435.tif 000007
【図５（ｂ）】
0005896435.tif 000008